(57)【要約】【課題】間仕切り用移動壁を鉛直姿勢に保持しつつスムーズに移動させる間仕切り壁構造を提供する。【解決手段】天井側の上枠Ｆに設けたレール１に沿って走行する吊車３に吊り下げられる間仕切り用移動壁４によって収納室４９と執務室５０を区画する間仕切り壁構造に於て、移動壁４は、レール１を含む鉛直平面Ｖよりも執務室５０側に偏った位置に配設されるパネル８と、パネル８の上端縁から収納室４９側に延伸するブラケット２とを備え、ブラケット２の先端部２Ａ近傍に、上枠Ｆ側の水平面部７Ａに下方から当接して転動する第１ガイドローラ５を有し、移動壁４の収納室４９側への揺動を防止するように構成されている。【選択図】図１
2015067985.tif 000002
【特許請求の範囲】
【請求項１】
天井側の上枠（Ｆ）に設けたレール（１）に沿って走行する吊車（３）に吊り下げられる間仕切り用移動壁（４）によって収納室（４９）と執務室（５０）を区画する間仕切り壁構造に於て、
上記移動壁（４）は、上記レール（１）を含む鉛直平面（Ｖ）よりも上記執務室（５０）側に偏った位置に配設されるパネル（８）と、該パネル（８）の上端縁から上記収納室（４９）側に延伸するブラケット（２）とを備え、該ブラケット（２）の先端部（２Ａ）近傍に、上記上枠（Ｆ）側の水平面部（７Ａ）に下方から当接して転動する第１ガイドローラ（５）を有し、上記移動壁（４）の上記収納室（４９）側への揺動を防止するように構成されたことを特徴とする間仕切り壁構造。
【請求項２】
上記ブラケット（２）は、上記上枠（Ｆ）側の鉛直面部（７Ｂ）に上記収納室（４９）側から当接して転動する第２ガイドローラ（６）を有し、上記移動壁（４）の上記執務室（５０）側への揺動を防止している請求項１記載の間仕切り壁構造。
【発明の詳細な説明】
【技術分野】
【０００１】
本発明は、間仕切り壁構造に関する。
【背景技術】
【０００２】
従来より、レールに沿って走行する吊車に吊り下げられた移動壁を備える間仕切り壁構造が知られている（特許文献１参照）。
【先行技術文献】
【特許文献】
【０００３】
【特許文献１】特開２００６−１４４２９３号公報
【発明の概要】
【発明が解決しようとする課題】
【０００４】
図３に示すように、２つの部屋の一方を執務室（オフィス）５０とし、他方を収納室４９として間仕切りを行う場合には、移動壁４５の執務室５０側にパネル４８を偏位して配設したものが使用される。即ち、移動壁４５は、パネル４８が執務室５０側に偏在し、吊車４３を支点として、執務室５０から収納室４９へ向かう方向に回転モーメントＭ０が作用している。
【０００５】
そこで、従来の間仕切り壁構造に於て、吊車４３の上端部に振れ止め用のガイドローラ４６を取着し、レール４１の上部内面に案内板４７を設けて、移動壁４５の揺動を防止するように構成されていた。
しかし、図３に示すように、ガイドローラ４６が案内板４７に当たるまでに吊車４３が斜めに傾くという欠点があり、図中２点鎖線で示すように、吊車４３の車輪４４，４４のどちらか一方が浮いてレール４１上で転動せず、スムーズに走行できない虞れがあった。また、吊車４３と、ガイドローラ４６の位置が近い為、ガイドローラ４６が案内板４７に強く当たって摩擦抵抗が大きくなり、移動壁４５がスムーズに動かないという欠点があった。
【０００６】
そこで、本発明は、間仕切り用移動壁を鉛直姿勢に保持しつつスムーズに移動させる間仕切り壁構造を提供することを目的とする。
【課題を解決するための手段】
【０００７】
本発明に係る間仕切り壁構造は、天井側の上枠に設けたレールに沿って走行する吊車に吊り下げられる間仕切り用移動壁によって収納室と執務室を区画する間仕切り壁構造に於て、上記移動壁は、上記レールを含む鉛直平面よりも上記執務室側に偏った位置に配設されるパネルと、該パネルの上端縁から上記収納室側に延伸するブラケットとを備え、該ブラケットの先端部近傍に、上記上枠側の水平面部に下方から当接して転動する第１ガイドローラを有し、上記移動壁の上記収納室側への揺動を防止するように構成されたものである。
また、上記ブラケットは、上記上枠側の鉛直面部に上記収納室側から当接して転動する第２ガイドローラを有し、上記移動壁の上記執務室側への揺動を防止しているものである。
【発明の効果】
【０００８】
本発明の間仕切り壁構造によれば、移動壁の揺動（倒れ）を防止でき、スムーズな開閉移動を行い得る。収納室側にガイドローラが配設され、機能部品は全て裏側の収納室側に
在り、執務室（オフィス）側からの見栄えが良い。ガイドローラが収納室側に配設され、支点となる吊車から離れた位置で転動して荷重を支持する為、摩擦抵抗を低減でき、移動壁がスムーズに移動できる。
【図面の簡単な説明】
【０００９】
【図１】本発明の実施の一形態を示した断面側面図である。
【図２】収納室側から見た一部破断背面図である。
【図３】従来の間仕切り壁構造を示した断面側面図である。
【発明を実施するための形態】
【００１０】
以下、実施の形態を示す図面に基づき本発明を詳説する。
図１と図２に示すように、本発明の間仕切り壁構造は、天井側の上枠Ｆに設けたレール１に沿って走行する吊車３に吊り下げられる間仕切り用移動壁４によって収納室４９と執務室５０を区画するように構成されている。
レール１は、下方に開口するスリット部１０が形成された横断面略矩形状に形成されている。上枠Ｆには、後述の第１ガイドローラ５及び第２ガイドローラ６の転動面を確保する案内板としての固定部材７が取付けられている。固定部材７は、水平面部７Ａと鉛直面部７Ｂを有する断面略Ｌ字状に形成され、上枠Ｆの下面及びレール１の（収納室４９側）外壁面に沿うように取付けられている。
吊車３は、レール１の下板部に左右一対の車輪を転動させて走行する。吊車３は、スリット部１０に挿通される垂下状の軸部１６を有し、軸部１６の基端部にスリット部１０に当接して転動する案内用ローラ１７を枢着している。
【００１１】
移動壁４は、レール１を含む鉛直平面Ｖよりも執務室５０側に偏った位置に配設されるパネル８と、パネル８の上端縁から収納室４９側に延伸するブラケット２とを備え、ブラケット２の先端部２Ａ近傍に、上枠Ｆ側の固定部材７の水平面部７Ａに下方から当接して転動する第１ガイドローラ５を有している。
移動壁４は、吊車３の軸部１６が（鉛直平面Ｖ内で）ブラケット２に連結され、パネル８の下端部が床面に非接触状となるように吊設されている。パネル８は、取付板部１９を介してブラケット２に複数のボルトで固着されている。ブラケット２は、収納室４９側と上方に向けて交互に折り曲げて形成されている。第１ガイドローラ５は、ブラケット２の先端部２Ａ近傍に設けられた第１枢結部２１に、水平軸心廻りに回転自在に取付けられている。
【００１２】
移動壁４は、パネル８が執務室５０側に偏った位置に配設されたことで、重心が執務室５０側に偏位し、図１に示すように、執務室５０から収納室４９に向かう方向に回転モーメントＭ１が作用している。第１ガイドローラ５は、固定部材７の水平面部７Ａに、図中矢印Ｒ１にて示す押圧力をもって下方から当接し、移動壁４の収納室４９側への揺動を防止している。
【００１３】
また、ブラケット２は、（上枠Ｆ側の）固定部材７の鉛直面部７Ｂに収納室４９側から当接して転動する第２ガイドローラ６を有している。
第２ガイドローラ６は、ブラケット２の中間部に設けられた第２枢結部２２に、鉛直軸心廻りに回転自在に取付けられている。第２ガイドローラ６は、収納室４９から執務室５０に向かう方向に回転モーメントＭ２が働いた際、固定部材７の鉛直面部７Ｂに、図中矢印Ｒ２にて示す押圧力をもって収納室４９側から当接し、移動壁４の執務室５０側への揺動を防止している。
【００１４】
上述した本発明の間仕切り壁構造の使用方法（作用）について説明する。
レール１に沿って吊車３を走行させ、移動壁４を所望の位置に移動させる際、第１ガイ
ドローラ５は、固定部材７の水平面部７Ａに当接して転動しつつ移動壁４の収納室４９側への揺動を防止する。第１ガイドローラ５は、ブラケット２の先端部２Ａに取着され、即ち、レール１の外側であって、吊車３から離れた収納室４９側の位置に設けられ、支点となる吊車３から離れた位置で固定部材７の水平面部７Ａに当接し、移動壁４のバランスを保つ。従って、テコの原理によって、第１ガイドローラ５が適度な大きさの押圧力Ｒ１をもって固定部材７の水平面部７Ａに当接し、摩擦抵抗が極めて小さく、スムーズに回転する。
【００１５】
また、第２ガイドローラ６は、固定部材７の鉛直面部７Ｂに当接して転動しつつ移動壁４の執務室５０側への揺動を防止する。第２ガイドローラ６は、レール１の収納室４９側外壁面に沿って設けられた鉛直面部７Ｂに当接する。第２ガイドローラ６は、適度な大きさの押圧力Ｒ２をもって固定部材７の鉛直面部７Ｂに当接し、摩擦抵抗が極めて小さく、スムーズに回転する。
従って、移動壁４は、第１ガイドローラ５と第２ガイドローラ６が振れ止めとなり、収納室４９側にも執務室５０側にも揺動することなく、バランス良く鉛直姿勢を保つと共に、小さな力で軽やかに、かつ、スムーズに移動する。
【００１６】
なお、本発明は、設計変更可能であって、例えば、固定部材７を省略して、第１ガイドローラ５が上枠Ｆの下面に当接して転動しても良く、また、第２ガイドローラ６がレール１の収納室４９側の外壁面に当接して転動するも好ましい。
また、吊車３は、図１に図示したような構造に限定されるものではなく、側方に開口するガイドレールに単一の車輪を引っ掛けて走行するような構造であっても良い（図示省略）。
【００１７】
以上のように、本発明に係る間仕切り壁構造は、天井側の上枠Ｆに設けたレール１に沿って走行する吊車３に吊り下げられる間仕切り用移動壁４によって収納室４９と執務室５０を区画する間仕切り壁構造に於て、移動壁４は、レール１を含む鉛直平面Ｖよりも執務室５０側に偏った位置に配設されるパネル８と、パネル８の上端縁から収納室４９側に延伸するブラケット２とを備え、ブラケット２の先端部２Ａ近傍に、上枠Ｆ側の水平面部７Ａに下方から当接して転動する第１ガイドローラ５を有し、移動壁４の収納室４９側への揺動を防止するように構成されたので、移動壁４が収納室４９側へ傾斜することなく、バランス良く支持できる。収納室４９側に第１ガイドローラ５が配設され、この第１ガイドローラ５及びブラケット２等の機能部品は裏側（収納室４９側）に隠れ、執務室５０（オフィス）側からの見栄えが良い。第１ガイドローラ５が収納室４９側に配設され、支点となる吊車３から離れた位置で水平面部７Ａに下方から当接して転動し荷重を支持する為、摩擦抵抗を低減でき、移動壁４がスムーズに移動できる。
【００１８】
また、ブラケット２は、上枠Ｆ側の鉛直面部７Ｂに収納室４９側から当接して転動する第２ガイドローラ６を有し、移動壁４の執務室５０側への揺動を防止しているので、移動壁４が執務室５０側へ傾斜することなく、バランス良く支持できる。収納室４９側に第２ガイドローラ６が配設され、執務室５０（オフィス）側からの見栄えが良い。第２ガイドローラ６が収納室４９側に配設され、支点となる吊車３を内有するレール１の外で鉛直面部７Ｂに収納室４９側から当接して転動し荷重を支持する為、摩擦抵抗を低減でき、移動壁４がスムーズに移動できる。
【符号の説明】
【００１９】
１  レール
２  ブラケット
２Ａ  先端部
３  吊車
４  移動壁
５  第１ガイドローラ
６  第２ガイドローラ
７Ａ  水平面部
７Ｂ  鉛直面部
８  パネル
４９  収納室
５０  執務室
Ｆ  上枠
Ｖ  鉛直平面
【図１】
2015067985.tif 000003
【図２】
2015067985.tif 000004
【図３】
2015067985.tif 000005